(57)【要約】      （修正有）【課題】離れた場所でも容易に散水ができるホースリールを提供する。【解決手段】貫通孔を有する中央プレートによって両側に収容部が形成される本体を有し、収容部の壁に切欠きが形成され、収容部に中央に収容部へ向かって突出する円筒部を有する回転円盤が設けられ、円筒部に外側へ向かって開口する凹部が形成され、凹部の壁に連結部材を設置するためのスリットが形成され、連結部材は連接ホース連結部と出水ホース連結部からなり、連接ホース連結部と出水ホース連結部の接続端が夫々凹部と貫通孔を貫通して連結され、接続端の間にＯリングが設けられ、又、回転円盤に外側へ向かって延出するロッドが枢設される。【選択図】図１
0003112755.tif 000002
【実用新案登録請求の範囲】
【請求項１】
貫通孔を有する中央プレートによって両側に収容部が形成される本体を有し、該収容部の壁に切欠きが形成され、該収容部に中央に収容部へ向かって突出する円筒部を有する回転円盤が設けられ、該円筒部に外側へ向かって開口する凹部が形成され、該凹部の壁に連結部材を設置するためのスリットが形成され、該連結部材は連接ホース連結部と出水ホース連結部からなり、該連接ホース連結部と出水ホース連結部の接続端が夫々凹部と貫通孔を貫通して連結され、該接続端の間にＯリングが設けられ、又、回転円盤に外側へ向かって延出するロッドが枢設されることを特徴とするホースリール。
【請求項２】
前記回転円盤に複数の中空部が形成され、一つの中空部の周縁に枢設溝が形成され、該枢設溝に前記ロッドが枢設され、前記連接ホース連結部の接続端の端縁の付近に係合凹部が形成され、前記出水ホース連結部の接続端の内側に該係合凹部と係合する係合縁が設けられ、又、該連接ホース連結部と出水ホース連結部の接続端に夫々ストッパーが設けられることを特徴とする請求項１に記載のホースリール。
【請求項３】
前記出水ホース連結部はＴ字形のパイプであり、その三端に夫々接続端、出水端及びホースを設置するための連結端が設けられ、該出水端に封止ブロックが螺設され、又、前記中央プレートに取付孔を有する取付ロッドが設けられることを特徴とする請求項２に記載のホースリール。
【考案の詳細な説明】
【技術分野】
【０００１】
本考案は、特に離れた場所でも容易に散水ができるホースリールに関するものである。
【背景技術】
【０００２】
従来のホースリールは、水を離れた場所へ送るためのホースを連結し使用するものであり、該ホースリールに一本のホースが巻き回され、該ホースの両端に夫々コネクタと散水ノズルが設けられる構成である。使用する際は、該ホースの一端をコネクタにより蛇口と連結し、該ホースリールを使用場所へ運んでホースを該ホースリールから引き出して作業を行う。
【考案の開示】
【考案が解決しようとする課題】
【０００３】
しかしながら、前記従来のホースリールは、一本のホースしか設置できないので、使用距離に限りがあり、又、散水ノズルを地面に固定して使用することができないので、非常に不便である。
【０００４】
そこで、案出されたのが本考案であって、離れた場所でも容易に散水ができるホースリールを提供することを目的としている。
【課題を解決するための手段】
【０００５】
本願の請求項１の考案は、貫通孔を有する中央プレートによって両側に収容部が形成される本体を有し、該収容部の壁に切欠きが形成され、該収容部に中央に収容部へ向かって突出する円筒部を有する回転円盤が設けられ、該円筒部に外側へ向かって開口する凹部が形成され、該凹部の壁に連結部材を設置するためのスリットが形成され、該連結部材は連接ホース連結部と出水ホース連結部からなり、該連接ホース連結部と出水ホース連結部の接続端が夫々凹部と貫通孔を貫通して連結され、該接続端の間にＯリングが設けられ、又、回転円盤に外側へ向かって延出するロッドが枢設されることを特徴とするホースリール、を提供する。
【０００６】
本願の請求項２の考案は、前記回転円盤に複数の中空部が形成され、一つの中空部の周縁に枢設溝が形成され、該枢設溝に前記ロッドが枢設され、前記連接ホース連結部の接続端の端縁の付近に係合凹部が形成され、前記出水ホース連結部の接続端の内側に該係合凹部と係合する係合縁が設けられ、又、該連接ホース連結部と出水ホース連結部の接続端に夫々ストッパーが設けられることを特徴とする請求項１に記載のホースリール、を提供する。
【０００７】
本願の請求項３の考案は、前記出水ホース連結部はＴ字形のパイプであり、その三端に夫々接続端、出水端及びホースを設置するための連結端が設けられ、該出水端に封止ブロックが螺設され、又、前記中央プレートに取付孔を有する取付ロッドが設けられることを特徴とする請求項２に記載のホースリール、を提供する。
【考案の効果】
【０００８】
本考案は上記の課題を解決するものであり、本体の中央に貫通孔を有する中央プレートを設けて、両側に収容部を形成すると共に、該貫通孔に夫々出水ホースと連接ホースを設ける構成であるので、より広い範囲において、散水作業を行うことができる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係るホースリールの分解斜視図であり、図２は本考案に係るホースリールの斜視図であり、図３は本考案に係るホースリールの断面図であり、図４は本考案に係るホースリールの部分断面図であり、図５は本考案に係るホースリールに固定ロッドを使用する状態を示す部分断面図であり、図６は本考案に係るホースリールの他の使用状態を示す断面図である。
【００１１】
図１及び図２に示すように、本考案に係るホースリールは、本体（１０）と、夫々該本体（１０）の両側に設けられる回転円盤（２０）と、該回転円盤（２０）と本体（１０）の中央に設けられる連結部材（３０）とを有し、該本体（１０）の上側にハンドル（１１）が設けられ、中央に中央プレート（１３）が設けられることにより、両側に収容部（１２）が形成され、該中央プレート（１３）の中央に貫通孔（１３０）が形成され、収容部（１２）の壁に切欠き（１４）が形成され、又、該中央プレート（１３）に取付孔（１５０）を有する取付ロッド（１５）が設けられる。
【００１２】
前記回転円盤（２０）の中央に収容部（１２）へ向かって突出する円筒部（２１）が設けられ、該円筒部（２１）に外側へ向かって開口する凹部（２２）が形成され、該凹部（２２）の壁に連結部材（３０）を設置するためのスリット（２２１）が形成され、又、回転円盤（２０）に複数の中空部（２３）が形成され、一つの中空部（２３）の周縁に枢設溝（２３０）が形成され、該枢設溝（２３０）にロッド（２５）が枢設される。
【００１３】
図３及び図４に示すように、前記連結部材（３０）は、連接ホース連結部（３１）と、出水ホース連結部（３２）と、封止ブロック（３３）からなり、該連接ホース連結部（３１）はＬ字形 の中空パイプであり、その一端にホースが設けられると共に、他端に出水ホース連結部（３２）と連結するための接続端（３１０）が設けられ、該接続端（３１０）の外側にＯリング（３４）が設けられると共に、端縁の付近に係合凹部（３１１）が形成されることにより、係合ヘッド（３１２）を形成する。
【００１４】
前記出水ホース連結部（３２）はＴ字形のパイプであり、その三端に夫々接続端（３２０）、出水端（３２１）及びホースを設置するための連結端（３２２）が設けられ、該接続端（３２０）の内側に連接ホース連結部（３１）の係合凹部（３１１）と係合する係合縁（３２３）が設けられ、又、該連接ホース連結部（３１）と出水ホース連結部（３２）の接続端（３１０）（３２０）に夫々ストッパー（３１３）（３２４）が設けられことにより、該連接ホース連結部（３１）と出水ホース連結部（３２）を凹部（２２）に位置決める。又、前記出水ホース連結部（３２）の出水端（３２１）の内側にねじ山が形成され、該端に外側にねじ山を有する封閉ブロック（３３）が螺設され、該封止ブロック（３３）と出水ホース連結部（３２）の出水端（３２１）との間にＯリングが設けられる。前記封止ブロック（３３）が出水端（３２１）に螺設され、前記出水ホース連結部（３２）の連結端（３２２）と連接ホース連結部（３１）に夫々出水ホース（Ａ）と連接ホース（Ｂ）が設けられ、該出水ホース（Ａ）と連接ホース（Ｂ）が回転円盤（２０）のスリット（２２１）を通じて円筒部（２１）に巻き回しながら本体（１０）の切欠き（１４）から延出される。
【００１５】
本考案に係るホースリールに出水ホース（Ａ）と連接ホース（Ｂ）を設けることができるので、従来の一本ホースより使用距離が長い。
【００１６】
又、図２、図３及び図５に示すように、固定場所で水をスプレーしようとする場合、前記回転円盤（２０）の一側におけるロッド（２５）を取り下げ、該本体（１０）を横にしながら固定ロッド（４０）を取付ロッド（１５）の取付孔（１５０）に挿入させ、出水ホース（Ａ）を取付ロッド（１５）の上部に設けた散水ノズル（４５）と連結することにより、簡単に水をスプレーすることができる。
【００１７】
又、図６に示すように、前記封止ブロック（３３）を取下げ、該散水ノズル（４５）を直接に出水端（３２０）と連結することにより、水をスプレーすることができる。
【産業上の利用可能性】
【００１８】
本考案は上記の構成を有し、本体の中央に貫通孔を有する中央プレートを設けて、両側に収容部を形成すると共に、該貫通孔に夫々出水ホースと連接ホースを設ける構成であるので、より広い範囲において、散水作業を行うことができる。
【図面の簡単な説明】
【００１９】
【図１】本考案に係るホースリールの分解斜視図である。
【図２】本考案に係るホースリールの斜視図である。
【図３】本考案に係るホースリールの断面図である。
【図４】本考案に係るホースリールの部分断面図である。
【図５】本考案に係るホースリールに固定ロッドを使用する状態を示す部分断面図である。
【図６】本考案に係るホースリールの他の使用状態を示す断面図である。
【符号の説明】
【００２０】
１０        本体
１１        ハンドル
１２        収容部
１３        中央プレート
１３０      貫通孔
１４        切欠き
１５        取付ロッド
１５０      取付孔
２０        回転円盤
２１        円筒部
２２        凹部
２２０      貫通孔
２２１      スリット
２３        中空部
２３０      枢設溝
２５        ロッド
２５０      枢設凹部
３０        連結部材
３１        連接ホース連結部
３１０      接続端
３１１      係合凹部
３１２      係合ヘッド
３１３      ストッパー
３２        出水ホース連結部
３２０      接続端
３２１      出水端
３２２      連結端
３２３      係合縁
３２４      ストッパー
３３        封止ブロック
３４        Ｏリング
４０        固定ロッド
４５        散水ノズル
Ａ          出水ホース
Ｂ          連接ホース
【図１】
0003112755.tif 000003
【図２】
0003112755.tif 000004
【図３】
0003112755.tif 000005
【図４】
0003112755.tif 000006
【図５】
0003112755.tif 000007
【図６】
0003112755.tif 000008